(57)【特許請求の範囲】
【請求項１】
金属製板材からなる表裏一対の第一、第二面板を折曲して、ドア体の表裏のドア面を構成する第一、第二見付け片部と、ドア体のドア厚となる端面を構成する第一、第二見込み片部とを形成し、これら第一、第二面板を用いてドア体を構成するにあたり、第一面板の戸尻側の第一見込み片部を、第一見付け片部の戸尻側端縁から第二見付け片部に向けて延出してドア厚方向中間部に至る外側見込み片部と、外側見込み片部の延出端縁から戸先側に向けて延出する段差片部と、段差片部の延出端縁から第二見付け片部に向けて延出し、第二見付け片部に突当てられる内側見込み片部とによりクランク状に形成する一方、第二面板の戸尻側の第二見込み片部を、第二見付け片部の戸尻側端縁から第一見付け片部に向けて延出してドア厚方向中間部に至り、外側見込み片部とともに戸尻側端面を構成するよう形成するとともに、第二見込み片部の延出端縁に段差片部に当接する第二当接片部を形成して、ドア体の戸尻側部位をフレームレスとしたことを特徴とするドア体。
【請求項２】
第一面板は、内側見込み片部の延出端縁から戸先側に向けて延出し、第二見付け片部に当接する第一当接片部が形成されていることを特徴とする請求項１に記載のドア体。
【請求項３】
第一面板は、第一当接片部の延出端縁から第一見付け片部に向けて延出する第一フランジ片部が形成されていることを特徴とする請求項２に記載のドア体。
【請求項４】
ドア体は、戸尻側端面の上下方向複数箇所に設けられる丁番を介して躯体に取付けられるものとし、丁番を支持するための丁番ライナーは、戸尻側端面に沿う丁番支持片と、第一、第二見付け片部に沿う表裏一対の側片とを備えて断面コ字形に形成される一方、第一面板の段差片部、内側見込み片部、および、第二面板の第二当接片部の上下方向複数箇所には、丁番ライナーを上下方向の位置決めをする状態で支持するライナー用切欠き部が形成されていることを特徴とする請求項３に記載のドア体。
【請求項５】
ライナー用切欠き部の第一フランジ片部は、丁番ライナーの側片の戸先側端縁に対向して丁番ライナーのドア幅方向の位置決めをすることを特徴とする請求項４に記載のドア体。
【発明の詳細な説明】
【技術分野】
【０００１】
本発明は、マンション、オフィスビル、工場等の建築物の出入り口部に設けられるドア体の技術分野に関するものである。
【背景技術】
【０００２】
一般に、オフィスビルや工場等の建築物において、出入り口部に、金属製板材からなる表裏一対の面板と、これら面板間に介装されるコア材とを用いて構成される鋼製のドア体を設けることがあり、このような鋼製のドア体は、従来、強度や寸法精度を高めるべく、表裏の面板間にＣ型チャンネルからなるフレーム材を介装している。しかしながら、近年、鋼製のドア体においても、軽量化、低コスト化が求められており、ドア体に内装されるフレーム材を省略することが提唱されている。
このようにドア体をフレームレスとした場合、ドア厚方向の強度を確保する必要があり、戸先側、戸尻側における強度を確保する手段としては、ドア体の表裏のドア面を構成する表裏面板の戸幅方向両側に余長部を設け、これら余長部を互いに対向する方向に向けて折曲した折曲片部と、これら折曲片部の端縁をドア内側に折曲した突当て片部とを形成し、表裏面板を、突当て片部同士を突当てる状態で一体化したもの（特許文献１）や、一方の面板のドア幅方向両端部に繰返し折曲することにより見込み方向を向く挿入片を形成し、他方の面板のドア幅方向両端部に繰返し折曲することにより見込み方向を向く挟着溝を形成し、各挿入片を挟着溝に押し込むことにより表裏面板を抜止め状に一体化したもの（特許文献２）が提唱されている。
【先行技術文献】
【特許文献】
【０００３】
【特許文献１】特開２００２−２２７５４２号公報
【特許文献２】特開２０１０−１６２３号公報
【発明の概要】
【発明が解決しようとする課題】
【０００４】
しかるに、特許文献１のドア体は、突当て片部同士をドア厚方向中間部において面接触させることにより強度アップを図るようにしているが、これだけでは充分でなく、高い強度が要求されるような箇所に設置する場合では対応し難く、問題がある。
また、前記特許文献２のドア体は、ドア幅方向両端部に複数の折曲片を設けることで強度アップを図るようにしているが、挿入片と挟着溝とはドア厚方向中間部に至るように形成される構成であり、挟着溝の溝底部と他方の見付け片部とのあいだは空隙部となるため、ドア厚方向の強度を充分に確保できないという問題がある。そのうえ、挿入片と挟着溝とはドア体の戸先側と戸尻側との上下方向全域に亘って形成されるため、面積の大きい表裏面板同士を一体化する場合に、長い挿入片を嵌着溝に強制的に押し込んで一体化する作業が難しいという問題があるばかりでなく、繰返し折曲して形成される挿入片と挟着溝とに寸法誤差が生じると、挿入片を嵌着溝に対して所定の押し込み量で押し込むことができない惧れがあり、このようになると、ドア厚の寸法精度を確保することができずドア厚の異なる箇所が発生してドア面に撓みが生じる等、意匠性に劣るという問題がある。
さらには、ドア体を丁番を介して躯体に設ける場合に、丁番の取付け部となるドア体の戸尻側にはドア体の全荷重が作用するため、戸尻側部位については一層の強度が要求されるが、前述したように特許文献１、２のものは何れのものも充分な強度を確保することができず、このような問題を鑑み、フレームレスでありながら、組込み作業が容易で、意匠性に優れ、しかも、強度が確保されたドア体が強く望まれ、ここに本発明の解決すべき課題がある。
【課題を解決するための手段】
【０００５】
本発明は、上記の如き実情に鑑みこれらの課題を解決することを目的として創作されたものであって、請求項１の発明は、金属製板材からなる表裏一対の第一、第二面板を折曲して、ドア体の表裏のドア面を構成する第一、第二見付け片部と、ドア体のドア厚となる端面を構成する第一、第二見込み片部とを形成し、これら第一、第二面板を用いてドア体を構成するにあたり、第一面板の戸尻側の第一見込み片部を、第一見付け片部の戸尻側端縁から第二見付け片部に向けて延出してドア厚方向中間部に至る外側見込み片部と、外側見込み片部の延出端縁から戸先側に向けて延出する段差片部と、段差片部の延出端縁から第二見付け片部に向けて延出し、第二見付け片部に突当てられる内側見込み片部とによりクランク状に形成する一方、第二面板の戸尻側の第二見込み片部を、第二見付け片部の戸尻側端縁から第一見付け片部に向けて延出してドア厚方向中間部に至り、外側見込み片部とともに戸尻側端面を構成するよう形成するとともに、第二見込み片部の延出端縁に段差片部に当接する第二当接片部を形成して、ドア体の戸尻側部位をフレームレスとしたことを特徴とするドア体である。
請求項２の発明において、第一面板は、内側見込み片部の延出端縁から戸先側に向けて延出し、第二見付け片部に当接する第一当接片部が形成されていることを特徴とする請求項１に記載のドア体である。
請求項３の発明において、第一面板は、第一当接片部の延出端縁から第一見付け片部に向けて延出する第一フランジ片部が形成されていることを特徴とする請求項２に記載のドア体である。
請求項４の発明において、ドア体は、戸尻側端面の上下方向複数箇所に設けられる丁番を介して躯体に取付けられるものとし、丁番を支持するための丁番ライナーは、戸尻側端面に沿う丁番支持片と、第一、第二見付け片部に沿う表裏一対の側片とを備えて断面コ字形に形成される一方、第一面板の段差片部、内側見込み片部、および、第二面板の第二当接片部の上下方向複数箇所には、丁番ライナーを上下方向の位置決めをする状態で支持するライナー用切欠き部が形成されていることを特徴とする請求項３に記載のドア体である。
請求項５の発明において、ライナー用切欠き部の第一フランジ片部は、丁番ライナーの側片の戸先側端縁に対向して丁番ライナーのドア幅方向の位置決めをすることを特徴とする請求項４に記載のドア体である。
【発明の効果】
【０００６】
請求項１の発明とすることにより、フレームレスでありながら強度アップが図られたドア体を、ドア厚方向の寸法精度がよく、しかも、意匠性の優れたドア体として提供することができる。
請求項２の発明とすることにより、ドア体のドア厚方向、ドア面方向の強度をさらにアップすることができる。
請求項３の発明とすることにより、戸尻側部位の強度を一層向上することができる。
請求項４の発明とすることにより、丁番ライナーをシンプルな形状でありながら位置決めした状態でドア体に組込むことができるうえ、丁番ライナーを介してのドア体と躯体との連結部を強固にすることができる。
請求項５の発明とすることにより、丁番ライナーをさらに位置精度よくドア体に設けることができる。
【図面の簡単な説明】
【０００７】
【図１】図１（Ａ）、（Ｂ）はそれぞれドア体のドア枠への取付け状態における正面図、背面図である。
【図２】図２（Ａ）は図１（Ａ）におけるＸ−Ｘ断面図、図２（Ｂ）はドア体の上側部位における拡大断面図である。
【図３】図３（Ａ）は図１（Ａ）におけるＹ−Ｙ断面図、図３（Ｂ）はドア体の戸先側部位における拡大断面図、図３（Ｃ）はドア体の戸尻側部位における拡大断面図である。
【図４】図４（Ａ）、（Ｂ）、（Ｃ）、（Ｄ）、（Ｅ）はそれぞれドア体の平面図、左側面図、正面図、右側面図、底面図である。
【図５】図５（Ａ）、（Ｂ）、（Ｃ）、（Ｄ）はそれぞれ第一ボックス体の平面図、左側面図、正面図、右側面図である。
【図６】図６（Ａ）、（Ｂ）、（Ｃ）、（Ｄ）はそれぞれ第二ボックス体の平面図、左側面図、正面図、右側面図である。
【図７】第一、第二ボックス体の組込み手順を説明する平面断面図である。
【図８】図８（Ａ）、（Ｂ）、（Ｃ）はそれぞれ施錠装置用ライナーの取付け状態を説明する平面断面図、側面図、正面図である。
【図９】図９（Ａ）、（Ｂ）、（Ｃ）はそれぞれ丁番ライナー取付け部における側面図、第二ボックス体の丁番ライナー取付け部における背面図、第一ボックス体の丁番ライナー取付け部における正面図である。
【図１０】丁番ライナーの組込み状態を説明する分解断面図である。
【図１１】図１１（Ａ）、（Ｂ）はそれぞれ第二の実施の形態を説明する縦断面図、横断面図である。
【発明を実施するための形態】
【０００８】
以下、本発明の第一の実施の形態について、図面に基づいて説明する。
図面において、１は建築物の出入り口部（開口部）の四周に設けられるドア枠であって、該ドア枠１は、上下、左右（戸先側、戸尻側）の各枠材２、３、４、５を四角形状に一体的に枠組みすることにより形成されている。これら各枠材２、３、４、５は金属製板材を折曲して形成されており、開口部側に位置する側片部は、屋外側部位の上下、左右のそれぞれにおいて外方に向けて退避するよう段差状に折曲され、屋外側を向く戸当たり片部２ａ、３ａ、４ａ、５ａと、ドア枠１に支持される本発明が実施されたドア体６の全閉姿勢において、ドア体６の上下、戸先側、戸尻側の各端面６ａ、６ｂ、６ｃ、６ｄにそれぞれ対向するドア体対向片部２ｂ、３ｂ、４ｂ、５ｂとが形成されている。
【０００９】
前記ドア体６は金属製板材、好ましくは鋼製であって、本実施の形態では鋼板からなる屋内外一対（表裏一対）の第一、第二面板７、８と、これら第一、第二面板７、８のあいだに介装されるコア材９とを備えて構成されており、後述するように、第一、第二面板７、８の四周を適宜折曲して一体化することにより、戸尻側端部を含む四周のフレーム材、縦または横方向のフレーム材等、一切のフレーム材が省略されたフレームレスのドア体６に構成されている。
そして、本実施の形態のドア体６は、戸尻側となる図１（Ａ）の図面向かって右側の戸尻側端面６ｄの上下方向三箇所と、右枠材５のドア体対向片部５ｂの上下方向三箇所とのあいだに設けられた丁番１０（旗丁番）を介して右枠材５に揺動自在に支持され、これら丁番１０を揺動支点として屋外側において開閉揺動する外開き式に構成されている。
【００１０】
前記ドア体６を構成する第一、第二面板７、８は、ドア体６の屋内外の見付け面（屋内側ドア面、屋外側ドア面）６ｅ、６ｆを構成する四角形状の第一、第二見付け片部７ａ、８ａと、これら第一、第二見付け片部７ａ、８ａの四周の端縁からそれぞれ上下、左右（戸先側、戸尻側）に延出する余長部とを備えた形状に予め裁断されており、前記各方向に延出する余長部をそれぞれ折曲加工することにより、入れ子状の箱型形状となった第一、第二ボックス体７Ｂ、８Ｂを形成するように構成されている。そして、屋内側のドア面６ｅを構成する第一ボックス体７Ｂに対し、屋外側のドア面６ｆを構成する第二ボックス体８Ｂを外嵌させて一体化することによりドア体６が形成されている。
尚、第一、第二面板７、８は、必ずしも第一面板を屋内側、第二面板を屋外側の面板として用いる必要はなく、その逆の構成として用いることも可能であり、要は、一方の面板により構成されるボックス体が他方の面板により構成されるボックス体に外嵌することでドア体を形成する構成であれば、ドア体の表裏方向については何れの方向であってもよい。
【００１１】
前記第一面板７において、図５に示すように、第一見付け片部７ａの戸先側の端縁（左側端縁）に形成される余長部には、第一見付け片部７ａの端縁から折り返し状に折曲されて、戸尻側に向けて延出する戸先側第一折返し片部７ｂと、該戸先側第一折返し片部７ｂの延出端縁を折曲して、第二見付け片部８ａ側（屋外側）に向けて延出する戸先側第一見込み片部７ｃとが形成されている。
ここで、前記戸先側第一折返し片部７ｂは、延出端側部位（戸尻側部位）が第一見付け片部７ａの屋外側面（内側面）に当接するよう、戸先側第一折返し片部７ｂを第一見付け片部７ａに押し付ける（押し潰す）状態で折返されるが、ヘアピン状に折曲形成することにより、第一見付け片部７ａと戸先側第一折返し片部７ｂとのあいだであって、ドア体６の戸先側端面６ｃとして外部に露出する折返し部７ｄが完全に押し潰されることなく空間部Ｓが形成されている。これによって、化粧鋼板等の表面加工が施された面板の折返し部を押し潰すように折曲することにより発生する白化現象が防止されて、ドア体戸先側端面６ｃとして外部に露出する折返し部７ｄの外面における表面加工を保護することができて、意匠性の向上が図れるように構成されている。
【００１２】
そして、前記戸先側第一見込み片部７ｃは、ドア体６の戸先側端面６ｃよりも戸先側第一折返し片部７ｂの長さに相当する分だけ戸尻側に位置するとともに、戸先側端面６ｃに対して平行となる位置関係となっている。このとき、戸先側第一見込み片部７ｃは、延出端縁が屋外側ドア面６ｆ（第二面板８の第二見付け片部８ａ）に当接する長さに寸法設定されるが、戸先側第一折返し片部７ｂの延出端縁は第一見付け片部７ａに押し付けるように形成することにより、精度よく寸法設定されている。
さらに、戸先側の余長部には、戸先側第一見込み片部７ｃの延出端縁から戸先側に向けて延出され、第二面板８の第二見付け片部８ａに当接する戸先側第一当接片部７ｅが形成され、戸先側第一当接片部７ｅの延出端縁から第一見付け片部７ａ側（第一面板７側、第一折返し片部７ｂ側、屋内側）に向けて延出された戸先側第一フランジ片部７ｆが形成されている。
【００１３】
また、第一見付け片部７ａの戸尻側の端縁（右側端縁）に形成される余長部を折曲することにより、第一見付け片部７ａの戸尻側端縁に続いて戸尻側第一見込み片部が形成されるが、前記戸尻側第一見込み片部は、第一見付け片部７ａの戸尻側端縁から第二見付け片部８ａに向けて延出してドア厚方向中間部に至る外側見込み片部７ｇと、該外側見込み片部７ｇの延出端縁から戸先側に向けて延出する段差片部７ｈと、該段差片部７ｈの延出端縁から第二見付け片部８ａに向けて延出し、第二見付け片部８ａに突当たる内側見込み片部７ｉとによりクランク状に形成されている。そして、外側見込み片部７ｇと内側見込み片部７ｉとは互いに平行となるように形成され、外側見込み片部７ｇは戸尻側端面６ｄの構成部材として外部に露出し、段差片部７ｈ、内側見込み片部７ｉは戸先側に偏倚してドア厚内（ドア幅方向内側）に位置するように形成されている。さらに、戸尻側の余長部には、内側見込み片部７ｉの延出端縁から戸先側に向けて延出し、第二面板８の第二見付け片部８ａに当接する戸尻側第一当接片部７ｊが形成され、戸尻側第一当接片部７ｊの延出端縁には第一見付け片部７ａ側（第一面板７側、屋内側）に向けて延出し、ドア厚方向中間部に至る戸尻側第一フランジ片部７ｋが形成されている。
【００１４】
また、第一見付け片部７ａの上下の端縁に形成される余長部を折曲することにより、第一見付け片部７ａの上下の端縁から第二見付け片部８ａ側（第二面板８側、屋外側）に向けて延出する上下側第一見込み片部７ｍ、７ｎが形成されている。さらに、上下の余長部には、これら上下側第一見込み片部７ｍ、７ｎの各延出端縁から下側、上側に向けてそれぞれ延出し、第二面板８の第二見付け片部８ａにそれぞれ当接する上下側第一当接片部７ｐ、７ｑが形成されている。また、上下側第一当接片部７ｐ、７ｑの延出端縁にはそれぞれ第一見付け片部７ａ側（第一面板７側、屋内側）に向けて延出する上下側第一フランジ片部７ｒ、７ｓが形成されている。
【００１５】
このように、第一面板７の四周に形成された余長部を折曲することにより、屋外側（第二面板８側）が開口する第一ボックス体７Ｂが形成されるが、第一ボックス体７Ｂは、前述したように、戸先側の第一見込み片部７ｃ、戸尻側の内側見込み片部７ｉ、上下側の各第一見込み片部７ｍ、７ｎの各延出端縁に、それぞれ戸先側、戸尻側、上下側の各第一当接片部７ｅ、７ｊ、７ｐ、７ｑが形成されたものとなっており、これら各第一当接片部７ｅ、７ｊ、７ｐ、７ｑは、それぞれ第二面板８の第二見付け片部８ａの四周に突当てられて面接触する状態で当接するように構成されている。
このとき、各第一当接片部７ｅ、７ｊ、７ｐ、７ｑの延出端縁には、それぞれ戸先側、戸尻側、上下側の各第一フランジ片部７ｆ、７ｋ、７ｒ、７ｓが形成されている。これによって、各第一当接片部７ｅ、７ｊ、７ｐ、７ｑは、湾曲状に波打つように変形することがなく、平滑精度の高い均一な平板状体として折曲加工され、各第一当接片部７ｅ、７ｊ、７ｐ、７ｑ全域が第二見付け片部８ａに確実に当接させることができるように構成されている。
【００１６】
一方、第二面板８において、図６に示すように、第二見付け片部８ａは第一見付け片部７ａと略同様の左右幅（見付け幅）と、第一見付け片部７ａよりも僅かに長い上下長さを有して形成されている。そして、第二見付け片部８ａの戸先側の端縁（左側端縁）に形成される余長部を折曲することにより、第二見付け片部８ａの戸先側の端縁から第一見付け片部７ａ側（第一面板７側、戸先側第一折返し片７ｂの折返し部７ｄ側、屋内側）に向けて延出する戸先側第二見込み片部８ｂと、戸先側第二見込み片部８ｂの延出端縁から戸尻側に向けて延出し、第一面板７の戸先側第一折返し片７ｂに当接する戸先側第二当接片部８ｃとが形成されている。また、戸先側第二当接片部８ｃの延出端縁には第二見付け片部８ａ側（第二面板８側、屋外側）に向けて延出する戸先側第二フランジ片部８ｄが形成されている。
このとき、戸先側第二見込み片部８ｂは、後述する第一、第二ボックス体７Ｂ、８Ｂの組込み状態において、戸先側第一折返し片部７ｂの折返し部７ｄとともにドア体６の戸先側端面６ｃを構成している。また、戸先側第二当接片部８ｃは戸先側第一見込み片部７ｃに近接する部位にまで延出して形成されており、戸先側第二当接片部８ｃと戸先側第一当接片部７ｅとがドア厚方向（見込方向）に対向するように構成されている。これによって、戸先側第二当接片部８ｃの延出端縁に形成される戸先側第二フランジ片部８ｄは、戸先側第一フランジ片部７ｆに対してドア幅方向に位置ズレして、戸先側第一フランジ片部７ｆよりも戸尻側に形成されて、戸先側第一見込み片部７ｃに近接するように構成されているとともに、戸先側第二フランジ片部８ｄの延出端縁と戸先側第一フランジ片部７ｆの延出端縁とは、ドア厚方向において所定の間隙を存するように構成されている。
【００１７】
また、第二見付け片部８ａの戸尻側の端縁（右側端縁）に形成される余長部を折曲することにより、第二見付け片部８ａの戸尻側の端縁から第一見付け片部７ａ側（第一面板７側、屋内側）に向けて延出してドア厚方向中間部に至り、戸尻側第一見込み片部を構成する外側見込み片部７ｇと面一状となってドア体６の戸尻側端面６ｄを構成する戸尻側第二見込み片部８ｅが形成されている。さらに、戸尻側の余長部には、戸尻側第二見込み片部８ｅの延出端縁から戸先側に向けて延出し、段差片部７ｈに当接する戸尻側第二当接片部８ｆが形成されている。尚、戸尻側第二当接片部８ｆは段差片部７ｈのドア幅方向長さと略同長さ、または、僅かに短い長さに設定されている。
【００１８】
さらに、第二見付け片部８ａの上下の端縁に形成される余長部を折曲することにより、第二見付け片部８ａの上下の端縁から第一見付け片部７ａ側（第一面板７側、屋内側）に向けて延出する上下側第二見込み片部８ｇ、８ｈと、これら上下側第二見込み片部８ｇ、８ｈの内側面（下側面、上側面）にそれぞれ当接する状態で折返される上下側補強片部８ｉ、８ｊとが形成されており、前記上下側第二見込み片部８ｇ、８ｈは、上下側第一見込み片部７ｍ、７ｎとともにドア体６の上下側端面６ａ、６ｂを構成するように設定されている。
【００１９】
このように、第二面板８の四周に形成された余長部を折曲することにより、屋内側（第一面板７側）が開口する第二ボックス体８Ｂが形成されるが、第二ボックス体８Ｂは、ドア体６の上下側端面６ａ、６ｂとなる上下側の各第二見込み片部８ｇ、８ｈの内側面に、上下側の各補強片部８ｉ、８ｊが当接状に折曲形成されており、これによって、上下側の各第二見込み片部８ｇ、８ｈが補強されるように構成されている。
【００２０】
つぎに、第一ボックス体７Ｂと第二ボックス体８Ｂとの組込みについて、図７に基づいて説明する。
まず、第一ボックス体７Ｂを開口部が上方を向く状態で作業台上に載置し、該第一ボックス体７Ｂに対し、第二ボックス体８Ｂを開口部が下方を向く状態で対向せしめ、第一ボックス体７Ｂの上下側第一見込み片部７ｍ、７ｎの外側に、第二ボックス体８Ｂの上下側補強片部８ｉ、８ｊにより補強された上下側第二見込み片部８ｇ、８ｈを外嵌させる状態とするとともに、第一ボックス体７Ｂの戸先側第一折返し片部７ｂの折返し部７ｄ近傍に、第二ボックス体８Ｂの戸先側第二当接片部８ｃの戸先側部位を突当てて第二ボックス体８Ｂの戸尻側部位が上方に位置する傾斜姿勢とする（図７における実線）。この状態から、前記戸先側第一折返し片部７ｂと戸先側第二当接片部８ｃとの突当て部を支点として、第二ボックス体８Ｂの戸尻側部位を下方揺動させる（第一ステップ）。このとき、戸先側第一、第二フランジ片部７ｆ、８ｄ同士は、戸先側第二フランジ片部８ｄの先端縁と戸先側第一フランジ片部７ｆの先端縁とがドア厚方向において所定の間隙を存する長さに寸法設定されていて、戸先側第二フランジ片部８ｄが戸先側第一フランジ片部７ｆに当接してしまうような不具合はない。
【００２１】
そして、第二ボックス体８Ｂの戸尻側部位が第一ボックス体７Ｂの戸尻側部位に近付くと、戸尻側第二当接片部８ｆの延出端縁（戸先側端部）が戸尻側第一当接片部７ｊに近接対向する状態となる。この状態において、第二ボックス体８Ｂを戸尻側に変位させる（第二ステップ）とともに、第二ボックス体８Ｂ全体を僅かに上方に浮かせるように変位させて（第三ステップ）、戸尻側第二当接片部８ｆの延出端縁が第一ボックス体７Ｂの内側見込み片部７ｉよりも外方に位置し、内側見込み片部７ｉの外面に沿って下動が可能となる位置関係とする（第四ステップ）。この状態において、第二ボックス体８Ｂへの支持を解除する（手を離す）ことで、第二ボックス体８Ｂが自重で下方変位して、戸先側、上下側の各第二見込み片部８ｂ、８ｇ、８ｈが対応する各第一見込み片部７ｃ、７ｍ、７ｎに外嵌するとともに、戸尻側においては、戸尻側第二見込み片部８ｅが内側見込み片部７ｉに外嵌し、戸尻側第二見込み片部８ｅと外側見込み片部７ｇとが面一状となって、第二ボックス体８Ｂの第一ボックス体７Ｂへの外嵌組込みが完了してドア体６が構成される。
【００２２】
そして、この第一、第二ボックス体７Ｂ、８Ｂの組込み状態において、ドア体６の戸先側部位は、戸先側第一見込み片部７ｃが第二見付け片部８ａに、戸先側第二見込み片部８ｂが折返し部７ｄにそれぞれ突当てられることによりドア厚方向の強度アップが図れるように構成されている。さらに、戸先側第一当接片部７ｅが第二見付け片部８ａに、戸先側第二当接片部８ｃが戸先側第一折返し片部７ｂにそれぞれ当接して面接触状態となることによりドア面方向の強度アップが図れるように構成されている。また、戸先側部位においては、戸先側第二フランジ片部８ｄが戸先側第一見込み片部７ｃに近接して形成されていることによって、ドア体６の戸先側に、ドア幅方向に対向する戸先側第一、第二見込み片部７ｃ、８ｂにより囲繞される戸先側中空部ＨＦが形成され、戸先側中空部ＨＦを構成する戸先側第一見込み片部７ｃ、戸先側第一、第二当接片部７ｅ、８ｃ、および、戸先側第一折返し片部７ｂがフレーム材のように機能することにより戸先側部位を補強するように構成されている。
【００２３】
また、ドア体６の戸先側部位においては、戸先側第一、第二当接片部７ｅ、８ｃとがドア厚方向に対向して形成され、これら戸先側第一、第二当接片部７ｅ、８ｃの延出端縁に形成される戸先側第一、第二フランジ片部７ｆ、８ｄのそれぞれは、戸先側第二フランジ片部８ｄが戸先側第一フランジ片部７ｆよりも戸尻側に位置していて、ドア幅方向に位置ズレして設けられている。これによって、火災等において第一、第二ボックス体７Ｂ、８Ｂが互いに離間する方向に変位した場合に、戸先側第一、第二フランジ片部７ｆ、８ｄが互いに係止して、第一、第二ボックス体７Ｂ、８Ｂ同士が連結された状態を保持できることになって、これらが剥がれてしまうような不具合を防止できるように配慮されている。
【００２４】
そして、ドア体６の戸尻側部位においては、戸尻側第一見込み片部を外側見込み片部７ｇ、段差片部７ｈ、内側見込み片部７ｉとによりクランク状に折曲すること、内側見込み片部７ｉが第二見付け片部８ａに、戸尻側第二見込み片部８ｅが外側見込み片部７ｇ（段差片部７ｈ）にそれぞれ突当てられることによりドア厚方向の強度アップが図れるように構成されている。さらに、戸尻側端面６ｄを外側見込み片部７ｇと戸尻側第二見込み片部８ｅとにより構成し、かつ、ドア厚方向中間部において段差片部７ｈと戸尻側第二当接片部８ｆとが面接触状態となることで戸尻側端面６ｄの強度アップが図れるように構成されている。また、戸尻側第一当接片部７ｊが第二見付け片部８ａに、戸尻側第二当接片部８ｆが段差片部７ｈにそれぞれ当接して面接触状態となることによりドア厚方向、および、ドア面方向の強度アップが図れるように構成されている。さらに、このものでは、ドア厚方向一方となる屋外側において、段差片部７ｈに当接する戸尻側第二当接片部８ｆ、内側見込み片部７ｉ、第二見付け片部８ａ、戸尻側第二見込み片部８ｅにより戸尻側中空部ＨＲが形成され、戸尻側中空部ＨＲを構成する戸尻側第二当接片部８ｆと内側見込み片部７ｉとがフレーム材のように機能することにより戸尻側部位の屋外側部位における補強がなされるように構成されている。
【００２５】
また、第一ボックス体７Ｂの上下側第一見込み片部７ｍ、７ｎが第二見付け片部８ａに突当てられることによる強度アップ、上下側第一当接片部７ｐ、７ｑが第二見付け片部８ａに当接して面接触状態になることによる強度アップが図られており、これによって、ドア体６は四周における強度アップが図られている。
このとき、各第一当接片部７ｅ、７ｊ、７ｐ、７ｑはそれぞれ延出端縁から各第一フランジ片部７ｆ、７ｋ、７ｒ、７ｓがそれぞれ形成されていて、各第一当接片部７ｅ、７ｊ、７ｐ、７ｑの平滑性が確保されている。これによって、各第一当接片部７ｅ、７ｊ、７ｐ、７ｑと第二見付け片部８ａとが均一な状態で当接することになって、各第一当接片部７ｅ、７ｊ、７ｐ、７ｑがフレーム材のように機能してドア体６の補強が一層確実になるように配慮されている。
【００２６】
さらに、前記第一、第二ボックス体７Ｂ、８Ｂの組込み状態において、第二ボックス体８Ｂの戸先側第二フランジ片部８ｄは第一ボックス体７Ｂの戸先側第一見込み片部７ｃに近接しており、第二ボックス体８Ｂの上下側補強片８ｉ、８ｊにより補強された上下側見込み片部８ｇ、８ｈは、第一ボックス体７Ｂの上下側見込み片部７ｍ、７ｎに摺接（当接）しており、さらに、第二ボックス体８Ｂの戸尻側第二当接片部８ｆの延出端縁が第一ボックス体７Ｂの内側見込み片部７ｉに近接する状態となっている。これによって、第二ボックス体８Ｂを第一ボックス体７Ｂに外嵌したとき、第二ボックス体８Ｂが第一ボックス体７Ｂに対して上下およびドア幅方向にガタつくことがなく、第一、第二ボックス体７Ｂ、８Ｂ同士の位置決め手段を別途設けることなく、外嵌組込みの操作をするだけで第一、第二ボックス体７Ｂ、８Ｂを自動的に位置決めされた状態で組込めるように構成されている。
【００２７】
ところで、第二ボックス体８Ｂが外嵌する第一ボックス体７Ｂには、予めコア材９、施錠装置１１や把手６ｇを取付けるための錠ユニットライナー１２、ドアクローザ装置１３を取付けるためのドアクローザ用ライナー１４、丁番１０を取付けるための丁番用ライナー１５等、ドア体６に必要な部品を取付けるためのライナー部材等が組込まれるが、これらの各部材は、作業台上にセットした第一ボックス体７Ｂに対し、接着等の所定の一体化手段用いて固定される。
【００２８】
まず、錠ユニットライナー１２は、図８に示すように、屋内外（表裏）一対の面板１２ａと、これら面板１２ａ同士の戸先側部位を連結する戸先側連結体１２ｂとにより平面視コ字形に形成されており、屋内外の面板１２ａ同士の戸尻側部位は複数の連結体１２ｃにより一体化されている。前記戸先側連結体１２ｂには開口１２ｄが形成されており、該開口１２ｄに、施錠装置１１を支持するための上下一対の取付け片１２ｅが形成されている。そして、錠ユニットライナー１２は、戸先側連結体１２ｂを第一ボックス体７Ｂの戸先側第一見込み片部７ｃに積層する状態として、屋内側の面板１２ａを第一見付け片部７ａに接着等の一体化手段により固定され、第二ボックス体８Ｂを一体化した状態では、戸先側連結体１２ｂの開口１２ｄに設けられた取付け片１２ｅが、戸先側第一、第二見込み片部７ｃ、８ｂに形成された開口７ｔ、８ｋおよび、戸先側第二フランジ片部８ｄに形成された切欠き８ｍを介して外部に露出するように構成されている。このように、錠ユニットライナー１２は第一見付け片部７ａに直接固定する構成としたので、取付け片１２ｅと各面板７、８の開口７ｔ、８ｋおよび切欠き８ｍとの位置合わせが容易になるように構成されている。
また、ドアクローザ装置１３取付け用のドアクローザ用ライナー１４は、本実施の形態では、図４に示すように、第一ボックス体７Ｂの第一見付け片部７ａの戸尻側上方部位に予め組込み固定されている。
【００２９】
そして、丁番１０を取付けるための丁番ライナー１５はドア体６の戸尻側の上下方向三箇所において設けられるものであり、予め第一ボックス体７Ｂの対応する部位に設けられるが、各丁番ライナー１５は、屋内外方向（表裏方向）に対向する一対の屋内、屋外片１５ａ、１５ｂと、これら屋内、屋外片１５ａ、１５ｂの戸尻側端縁同士を連結し、丁番１０が連結される丁番支持片１５ｃとにより平面視コ字形状に形成されている。さらに、丁番支持片１５ｃの戸先側面には、丁番支持片１５ｃに開設された貫通孔に連通する螺子溝１５ｄが複数（本実施の形態では上下二箇所づつの螺子溝と、これら四つの螺子溝の中間部に設けられる螺子溝とで都合五箇所）開設された固定プレート１５ｅが一体的に設けられている。ここで、屋内、屋外片１５ａ、１５ｂのドア幅方向の長さは第一ボックス体７Ｂの外側見込み片部７ｇと戸尻側第一フランジ片部７ｋとの対向間隔と略同様かそれよりも僅かに短い長さに設定され、丁番支持片１５ｃのドア厚方向の長さは第一、第二見付け片部７ａ、８ａの対向間隔と略同様かそれよりも僅かに短い長さに設定されている。
【００３０】
一方、第一ボックス体７Ｂの戸尻側には、丁番１０取付け部位となる上下方向三箇所にそれぞれ主第一切欠き部ＭＣ１が形成されている。これら各主第一切欠き部ＭＣ１は、図９（Ｃ）に示すように、第一ボックス体７Ｂのドア幅方向内側に位置する片部であって、段差片部７ｈ、内側見込み片部７ｉ、戸尻側第一当接片部７ｊ、そして、戸尻側第一フランジ片部７ｋの各片部を、上下方向所定間隙を存して切欠くことにより構成されている。このとき、主第一切欠き部ＭＣ１の切欠き端となる段差片部７ｈ、内側見込み片部７ｉ、戸尻側第一当接片部７ｊの上下の切欠き端縁７ｕ、７ｗにおける対向間隔は、丁番ライナー１５の上下方向長さと略同長さとなるように切欠かれ、戸尻側第一フランジ片部７ｋの上下の切欠き端縁７ｘ、７yの対向間隔は、前記切欠き端縁7ｕ、７ｗの対向間隔よりも短く切欠かれており、戸尻側第一フランジ片部７ｋの上下の切欠き端部７ｘ、７ｙが、段差片部７ｈ、内側見込み片部７ｉ、戸尻側第一当接片部７ｊの切欠き端縁７ｕ、７ｗよりも上下方向内側に突出している。これによって、主第一切欠き部ＭＣ１は、第一ボックス体７Ｂのボックス内側から目視したとき、戸尻側第一フランジ片部７ｋにより構成される上下一対の突片Ｐにより蟻溝形状となるように形成されている。
尚、戸尻側第一フランジ片部７ｋは必ずしも切欠かれている必要はなく、本実施の形態のように切欠いた場合では、丁番ライナー１５の組込みが容易になるという利点がある。
また、ＳＣ１は主第一切欠き部ＭＣ１の上下方向中間部において外側見込み片部７ｇの屋外側部位を四角形状に切欠いて形成した副第一切欠き部である。
【００３１】
そして、丁番ライナー１５の第一ボックス体７Ｂへの組込みは、まず、屋内片１５ａを第一ボックス体７Ｂの第一見付け片部７ａに対向せしめ、丁番支持片１５ｃを戸尻側に向けた状態から、屋内片１５ａの上下端縁１５ｆ、１５ｇを戸尻側第一当接片部７ｊおよび内側見込み片部７ｉの上下の切欠き端縁７ｕ、７ｗに対向させ、かつ、屋内片１５ａの戸先側端面１５ｈを戸尻側第一フランジ部７ｋにより構成される突片Ｐの戸尻側面に当接させる姿勢とする。そしてこの状態から、丁番ライナー１５を突片Ｐの戸尻側面に沿って第一見付け片部７ａ側に向けて押し込んで、丁番支持片１５ｃおよび固定プレート１５ｅの上下端縁１５ｉ、１５ｊが段差片部７ｈの上下端縁部７ｕ、７ｗに対向するとともに、丁番支持片１５ｃの戸尻側端面が外側見込み片部７ｇの戸先側面に沿う状態とし、この状態から、さらに押し込み操作をすることにより、屋内片１５ａが第一見付け片部７ａに当接し、屋外側半部が外部に露出する状態で組込まれるように構成されている。このとき、外部に露出する屋外片１５ｂの上下端縁１５ｆ、１５ｇは戸尻側第一当接片部７ｊの切欠き端縁７ｕ、７ｗに対向し、かつ、屋外片１５ｂの戸先側端面１５ｈが突片Ｐに当接し、屋外片１５ｂの屋外側面と戸尻側第一当接片部７ｊの屋外側面とが面一状になるように構成されている。このように、丁番ライナー１５は、主第一切欠き部ＭＣ１の切欠き端縁７ｕ、７ｗや突片Ｐに沿って組込まれる構成となっており、これによって組込み操作が容易になるように配慮されている。
前記組込み状態において、丁番ライナー１５は、屋内片１５ａが第一見付け片部７ａに当接することにより屋内外方向の位置決めがなされ、丁番支持片１５ｃおよび固定プレート１５ｅの上下端縁１５ｉ、１５ｊが段差片部７ｈの上下の切欠き端縁７ｕ、７ｗに当接または近接対向し、かつ、屋外片１５ｂの上下端縁１５ｆ、１５ｇが戸尻側第一当接片７ｊの上下の切欠き端縁７ｕ、７ｗに当接または近接対向することにより上下方向の位置決めがなされるように構成されている。さらに、丁番支持片１５ｃが外側見込み片部７ｇに当接し、屋外片１５ｂの戸先側端縁１５ｈの上下端部が突片Ｐに当接または近接対向することによりドア幅方向の位置決めがなされるように構成されている。
【００３２】
このように、丁番ライナー１５は、第一ボックス体７Ｂの主第一切欠き部ＭＣ１に組込まれることにより、第一ボックス体７Ｂに対して屋内外方向、上下方向、ドア幅方向の位置決めされた状態で支持され、この状態において接着等の一体化手段により固定されることにより、丁番ライナー１５を第一ボックス体７Ｂに対して位置精度よく組込み固定できるように構成されている。
尚、主第一切欠き部ＭＣ１形成部位の外側見込み片部７ｇには、上下一対の貫通孔Ｈ１が予め開設されており、第一ボックス体７Ｂに丁番ライナー１５を組込んだとき、これら貫通孔Ｈ１を介して丁番ライナー１５の屋内側の上下一対の螺子溝１５ｄが外部に露出するように構成されているとともに、副第一切欠き部ＳＣ１から丁番ライナー１５の上下方向中間部に位置する螺子溝１５ｄの屋内側半部が露出するように構成されている。
【００３３】
また、第一ボックス体７Ｂに外嵌する第二ボックス体８Ｂには、第一ボックス体７Ｂに形成される上下方向三箇所の主第一切欠き部ＭＣ１に対応する部位に位置して主第二切欠き部ＭＣ２がそれぞれ形成されており、これら主第二切欠き部ＭＣ２は主第一切欠き部ＭＣ１とともに本発明のライナー用切欠き部を構成している。前記各主第二切欠き部ＭＣ２は、図９（Ｂ）に示すように、第二ボックス体８Ｂのドア幅方向内側に位置する戸尻側第二当接片部８ｆを切欠くことにより構成されている。この主第二切欠き部ＭＣ２の切欠き端となる戸尻側第二当接片部８ｆの上下の切欠き端縁８ｎ、８ｐの対向間隔は、丁番ライナー１５の上下方向長さと略同長さとなるように切欠かれている。さらに、主第二切欠き部ＭＣ２の上下方向中間部に対向する戸尻側第二見込み片部８ｅの屋内側部位には、第一ボックス体７Ｂの副第一切欠き部ＳＣ１に連通するようにして四角形状に切欠かれた副第二切欠き部ＳＣ２が形成されている。
また、主第二切欠き部ＭＣ２形成部位の戸尻側第二見込み片部８ｅには、上下一対の貫通孔Ｈ２が予め開設されている。
【００３４】
そして、第一ボックス体７Ｂに必要なライナー１２、１４、１５等を組込んだ状態において、第一ボックス体７Ｂの第一見付け片部７ａ内側面にホットメルトタイプの接着剤を塗布するとともに、コア材９を内装する一方、第二ボックス体８Ｂの第二見付け片部８ａ内側面にホットメルトタイプの接着剤を塗布し、第一、第二ボックス体７Ｂ、８Ｂ同士を前述した手順に基づいて外嵌組込みすることによりドア体６の外形状が整えられるように構成されている。
このとき、第二ボックス体８Ｂは、図９（Ａ）、図１０に示すように、第一ボックス体７Ｂに組込まれている丁番ライナー１５の外部に露出する屋外側半部を主第二切欠き部ＭＣ２に内嵌するように組込まれる。そして、この状態において、丁番ライナー１５は、丁番支持片１５ｃの上下端縁１５ｉ、１５ｊが段差片部７ｈの上下の切欠き端縁７ｕ、７ｗとともに戸尻側第二当接片部８ｆの上下の切欠き端縁８ｎ、８ｐによる支持を受けるように構成されている。
さらに、この組込み状態において、戸尻側第二見込み片部８ｅに開設された上下一対の貫通孔Ｈ２を介して丁番ライナー１５の屋外側の上下一対の螺子溝１５ｄが外部に露出するとともに、互いに隣接して切欠かれた副第一、第二切欠き部ＳＣ１、ＳＣ２から、丁番ライナー１５の上下方向中間部に開設された螺子溝１５ｄが露出するように構成されている。
そして、前記外嵌組込みされたドア体６を、ホットプレス装置に組込み、ドア体６の表裏方向両側面に対して加熱、加圧することにより、第一、第二見付け片部７ａ、８ａが互いに対向する部材（コア材９、戸先側、戸尻側、上下側の各第一当接片部７ｅ、７ｊ、７ｐ、７ｑ等）に接着（一体化）された状態となり、このようにして、ドア体６が形成されるように構成されている。
【００３５】
前記一体化されたドア体６は、第一、第二ボックス体７Ｂ、８Ｂの上下の一体化部位であって、上側第一、第二見込み片部７ｍ、８ｇ同士、下側第一、第二見込み片部７ｎ、８ｈ同士については、ドア幅方向複数箇所においてリベット１４による止着がなされ、これによって、ドア体６の一体化が一層強固になされるように構成されている。そして、戸体６戸尻側の上下方向三箇所の丁番１０取付け部には、貫通孔Ｈ１、Ｈ２、副第一、第二切欠き部ＳＣ１、ＳＣ２を介して内装される丁番ライナー１５の螺子溝１５ｄが外部に露出しており、これら螺子溝１５ｄを用いてドア体６側の丁番１０の支持片１０ａを螺着し、錠ユニットライナー１２に施錠装置１１、把手６ｇを組込み、ドアクローザ用ライナー１４にドアクローザ装置１３を組込む等、必要な部材を適宜手段を用いて組込むことでドア体６が完成する。
【００３６】
そして、丁番ライナー１５は、前述したように、強度アップされた戸尻側部位に固定されるうえ、段差片部７ｈ、戸尻側第二当接片部８ｆ、さらには、内側見込み片部７ｉ、戸尻側第一当接片部７ｊの切欠き端縁７ｕ、７ｗに支持される状態となっている。これによって、ドア体６を各丁番１０を介してドア枠１（躯体）に組込んで、ドア体６の全荷重が各丁番１０を介して丁番ライナー１５に作用した場合に、該荷重（負荷）は、各丁番支持片１５ｃが面接触する外側見込み片部７ｇ、戸尻側第二見込み片部８ｅにより受け止められるばかりでなく、段差片部７ｈ、戸尻側第二当接片部８ｆ、さらには、内側見込み片部７ｉ、戸尻側第一当接片部７ｊの切欠き端縁７ｕ、７ｗにより受け止められることになって、ドア体６の丁番１０を介したドア枠１への連結部が一層強固になるように構成されている。しかも、丁番ライナー１５は、大きな荷重が作用する丁番１０の軸部１０ｂに近い屋外側部位に大きな負荷が作用することになるが、ドア体６の戸尻側部位における屋外側には戸尻側中空部ＨＲが形成されて補強されているので、ドア体６のドア枠１との連結部（躯体連結部）がさらに強固になるように構成されている。
【００３７】
叙述の如く構成された本形態において、ドア体６は、第一、第二面板７、８とこれら第一、第二面板７、８間に介装されるコア材９とを用いて構成され、ドア体６の屋内外のドア面を構成する第一、第二見付け片部７ａ、８ａが形成される第一、第二面板７、８は、第一、第二見付け片部７ａ、８ａの四周縁部がそれぞれ見込み方向に折曲されるが、この場合に、第一面板７の戸尻側の第一見込み片部は、ドア厚方向中間部に至る外側見込み片部７ｇと、外側見込み片部７ｇの延出端縁から戸先側に向けて延出する段差片部７ｈと、段差片部７ｈの延出端縁から第二見付け片部８ａに向けて延出する内側見込み片部７ｉとによりクランク状に形成され、戸尻側第一見込み片部（内側見込み片部７ｉ）の延出端縁が第一見付け片部８ａに突当てられるように構成したので、戸尻側部位のドア厚方向の強度アップを図ることができる。また、第二面板８の戸尻側には、外側見込み片部７ｇとともに戸尻側端面６ｄを構成する戸尻側第二見込み片部８ｅと、段差片部７ｈに当接する戸尻側第二当接片部８ｆとが形成され、戸尻側第二見込み片部８ｅの延出端縁が段差片部７ｈに突当てられるように構成したので戸尻側部位のドア厚方向の強度アップを図ることができ、戸尻側第二当接片部８ｆが段差片部７ｈに面接触することでドア厚方向、ドア面方向、戸尻側端面６ｄの強度アップを図ることができる。さらに、戸尻側第二当接片部８ｆ、内側見込み片部７ｉ、第二見付け片部８ａ、戸尻側第二見込み片部８ｅにより戸尻側中空部ＨＲが形成され、戸尻側第二当接片部８ｆと内側見込み片部７ｉとがフレーム材のように機能することにより戸尻側部位を補強することができる。このように、ドア体６の戸尻側部位は、従来のように表裏面板同士を押し込むような作業をすることなく、単に第一、第二面板７、８同士を突当てるような簡単組込み作業により一体化することで、フレームレスでありながら強度アップが図られたドア体６を、ドア厚方向の寸法精度がよく、しかも、意匠性の優れたドア体６として提供することができる。
【００３８】
さらに、本発明が実施されたドア体６の第一面板７は、内側見込み片部７ｉのの延出端縁から戸先側に向けて延出し、第二見付け片部８ａに当接する戸尻側第一当接片部７ｊが形成されているので、戸尻側部位は、戸尻側第一当接片部７ｊが第二見付け片部８ａに面接触することにより、ドア厚方向、ドア面方向の強度アップを図ることができる。
【００３９】
そのうえ、戸尻側第一当接片部７ｊの延出端縁には第一見付け片部７ａに向けて延出する戸尻側第一フランジ片部７ｋが形成されているので、戸尻側第一当接片部７ｊの平滑性が向上して、第二見付け片部８ａとの面接触が確実になって戸尻側部位の強度が一層向上する。
【００４０】
このように、本発明が実施されたドア体６にあっては、フレーム材を介装することなく戸尻側部位の強度アップが図れるようにしたものであり、このように強度アップされた戸尻側に、ドア体６を躯体（ドア枠１）に開閉揺動自在に連結してドア体の全荷重が作用する丁番１０が上下方向複数箇所に設けられるが、この場合に、これら各丁番１０を支持するための丁番ライナー１５は、それぞれ戸尻側端面６ｄに沿う丁番支持片１５ｃと、第一、第二見付け片部７ａ、８ａに沿う表裏一対の側片１５ａ、１５ｂとを備えて断面コ字形に形成されている一方、ドア体６側には、第一面板７の段差片部７ｈ、内側見込み片部７ｉ、および、第二面板８の第二当接片部８ｆの上下方向複数箇所を切欠くことにより、主第一、第二切欠き部ＭＣ１、ＭＣ２（ライナー用切欠き部）がそれぞれ形成されている。そして、各丁番ライナー１０は、これらライナー用切欠き部に沿って組込むことで上下方向の位置決めがなされた状態で支持されるように構成されているので、丁番ライナー１５をシンプルな形状でありながら位置決めした状態で組込むことができて、組込みが容易であるうえ、別途位置決めのための操作を不要にできるという利点もある。そして、ドア体６を丁番１０を介して躯体（ドア枠１）に連結したとき、丁番ライナー１５に作用する負荷を、段差片部７ｈ、戸尻側第二当接片部８ｆ、内側見込み片部７ｉ、戸尻側第一当接片部７ｊにより受け止めることができて、ドア体６のドア枠１との連結部を一層強固にすることができて、信頼性の高いドア体６とすることができる。
【００４１】
さらに、このものにおいて、第一面板７には戸尻側第一当接片部７ｊ、戸尻側第一フランジ片部７ｋが形成され、第一フランジ片部７ｋが丁番ライナー１５の屋外片１５ｂの戸先側端縁に対向するようにしたので、丁番ライナー１５のドア幅方向の位置決めがなされて、丁番ライナー１５をさらに位置精度よく設けることができる。
【００４２】
尚、本発明は前記実施の形態に限定されないことは勿論であって、図１１に示す第二の実施の形態のようにすることもできる。
第二の実施の形態のドア体１６は、第一、第二見付け片部１７ａ、１８ａを構成する表裏一対の面板１７、１８の四周縁部を折曲することにより第一、第二ボックス体１７Ｂ、１８Ｂを構成し、これらをあいだにコア材１９を介装して一体的に組込んでドア体１６を構成する等の基本構成は前記第一の実施の形態と同様であるが、このものでは、戸先側部位にさらなる補強がなされたものとなっている。
【００４３】
前記第一、第二ボックス体１７Ｂ、１８Ｂの上下、戸尻側部位に形成される各片は前記第一の実施の形態と同様であり、第一ボックス体１７Ｂの上下側には、上下側第一見込み片部１７ｂ、１７ｃ、上下側第一当接片部１７ｄ、１７ｅ、上下側第一フランジ片部１７ｆ、１７ｇが形成され、第二ボックス体１８Ｂの上下側には、上下側第二見込み片部１８ｂ、１８ｃ、上下側補強片部１８ｄ、１８ｅが形成されている。第一ボックス体１７Ｂの戸尻側には外側見込み片部１７ｈ、段差片部１７ｉ、内側見込み片部１７ｊからなる戸尻側第一見込み片部とともに、戸尻側第一当接片部１７ｋ、戸尻側第一フランジ片部１７ｍが形成されている。また、第二ボックス体１８Ｂの戸尻側には戸尻側第二見込み片部１８ｆ、戸尻側第二当接片部１８ｇとが形成されている。
【００４４】
一方、第一ボックス体１７Ｂの戸先側にはドア厚方向中間部に至る戸先側第一見込み片部１７ｎと、戸尻側を向く戸先側第一当接片部１７ｐとが形成されている。また、第二ボックス体１８Ｂの戸先側にはドア厚方向中間部に至り、戸先側第一見込み片部１７ｎとともにドア体１６の戸先側端面を構成する戸先側第二見込み片部１８ｈと、戸尻側を向き、戸先側第一当接片部１７ｐに突当てられて面接触する戸先側第二当接片部１８ｉとが形成されている。
【００４５】
そして、第一、第二ボックス体１７Ｂ、１８Ｂ同士の組込み前の段階で、前記第一の実施の形態と同様に、第一ボックス体１７Ｂに各種ライナー部材が組込まれるが、丁番用ライナー１５についても、前記第一の実施の形態と同様に第一ボックス体１７Ｂの段差片部１７ｉ、内側見込み片部１７ｊ、戸尻側第一当接片部１７ｋ、および、戸尻側第一フランジ部１７ｍに切欠かれた主切欠き部（図示せず）に位置決め状に支持される状態で組込み固定される。
さらに、このものでは、第二ボックス体１８Ｂとの一体化の前の段階で、第一ボックス体１７Ｂの戸先側に戸先側フレーム材２０が組込み固定され、戸先側の補強をするように構成されている。前記戸先側フレーム材２０は上下方向長尺状に形成されており、第一、第二見付け片部１７ａ、１８ａに沿う屋内外一対の側片２０ａ、２０ｂと、これら側片２０ａ、２０ｂ同士の戸尻側端を連結する一体化片部２０ｃと、屋外側の側片２０ｂの戸先側端縁から第一見付け片部１７ａ側（屋内側）に向けて折曲されドア厚方向中間部に至る戸先側片部２０ｄとにより構成されている。
尚、戸先側フレーム材２０の戸先側片部２０ｄは上下方向中間部が切欠かれており、該切欠き部に施錠装置や把手が設けられる錠ユニットライナーを取付ることができるように構成されている。
因みに、２１、２２は戸先側フレーム材２０の位置ズレを防止するべくドア体１６の上下に設けられる位置決めプレートであって、これら位置決めプレート２１、２２は、それぞれ上下側第一見込み片部１７ｂ、１７ｃに積層状に固定されている。
【００４６】
そして、第一ボックス体１７Ｂに第二ボックス体１８Ｂを外嵌して一体化する場合では、作業台上にセットした第一ボックス体１７Ｂの戸先側第一見込み片部１７ｎと戸先側第一当接片部１７ｐとのコーナー部に、戸先側第二当接片部１８ｉの戸先側部位を突当てて第二ボックス体１８Ｂを傾斜状に対向させ、前記第一の実施の形態と同様の手順、即ち、第二ボックス体１８Ｂを戸尻側に変位させつつ上方に浮かし、その後、自重で下動させることにより、第一、第二ボックス体１７Ｂ、１８Ｂの外嵌組込みできるように構成されている。
前記組込み状態において、戸先側フレーム材２０は、戸先側片２０ｄが戸先側第一見込み片部１８ｈに近接対向し、屋外側の側片２０ｂが第二見付け片部１８ａに面接触状に当接し、これによって、戸先側の補強がなされるように構成されている。
【００４７】
このように構成されたドア体１６は、戸尻側については前記第一の実施の形態と同様の構成であって、第一、第二面板１７、１８の戸尻側の余長部を折曲することにより構成される各片部の組込み構成による補強がなされ、戸先側については戸先側フレーム材２０による補強がなされることになって、ドア体１６の四周において高い強度を備えたドア体１６とすることができて、これによって設置箇所の自由度をさらに大きくすることができる。
【産業上の利用可能性】
【００４８】
本発明は、オフィスビルや工場等の建築物の出入り口部に設けられるドア体の戸尻側部位をフレームレスとしたものでありながら強度を高めることができ、汎用性の高いドア体を構成する場合に利用することができる。
【符号の説明】
【００４９】
１  ドア枠
６  ドア体
６ｃ  戸先側端面
７  第一面板
７ａ  第一見付け片部
７ｂ  戸先側第一折返し片部
７ｃ  戸先側第一見込み片部
７ｇ  外側見込み片部
７ｈ  段差片部
７ｉ  内側見込み片部
７ｊ  戸尻側第一当接片部
７ｋ  戸尻側第一フランジ片部
７Ｂ  第一ボックス体
８  第二面板
８ａ  第二見付け片部
８ｅ  戸尻側第二見込み片部
８ｆ  戸尻側第二当接片部
９  コア材
１０  丁番
１５  丁番ライナー
ＭＣ１  主第一切欠き部
ＭＣ２  主第二切欠き部
【図１】
0005748649.tif 000002
【図２】
0005748649.tif 000003
【図３】
0005748649.tif 000004
【図４】
0005748649.tif 000005
【図５】
0005748649.tif 000006
【図６】
0005748649.tif 000007
【図７】
0005748649.tif 000008
【図８】
0005748649.tif 000009
【図９】
0005748649.tif 000010
【図１０】
0005748649.tif 000011
【図１１】
0005748649.tif 000012